(57)【要約】      （修正有）【課題】古紙を結束する際に結束用の紐の係合を外す操作が必要なく、結束作業を迅速にかつ容易に行うことができ、古紙を収納箱から取り外す作業の省力化を図る。【解決手段】上端および下端が解放され内側空間に古紙が平積み状態で収納される四つの側壁を有する筒状の収納箱２と、収納箱２の外側から内側又は内側から外側に折り曲げて反転する折曲反転機構が設けられ、一の折曲反転機構（突起軸３ａ，３ｂ，３ｃ，３ｄ）を収納箱の四側壁の上部に設け、他の折曲反転機構（突起軸４ａ，４ｂ，４ｃ，４ｄ）を収納箱の四側壁の下部にそれぞれ形成された窓部に設け、当該他の折曲反転機構が、収納箱２に投入して収納した古紙の自重などにより他の折曲反転機構から紐が下方に移動させられて他の折曲反転機構から外れる構造となっている。【選択図】図６
2010247846.tif 000002
【特許請求の範囲】
【請求項１】
上端および下端が解放され内側空間に古紙が平積み状態で収納される四つの側壁を有する筒状の収納箱と、当該収納箱の四つの壁部の内面に沿って前記古紙を結束するための紐を予め配置・仮止めするための配置機構とを備えた古紙の一時収納具において、
前記配置機構が、収納箱の外側から内側又は内側から外側に折り曲げて反転する折曲反転機構を備え、
当該折曲反転機構の一部を収納箱の４側壁の上部にそれぞれ設け、他の折曲反転機構を前記収納箱の４側壁の下部にそれぞれ形成された窓部に設け、
前記収納箱の４側壁の下部に形成された折曲反転機構が、収納箱に古紙を投入して収納した際に古紙の自重などにより当該折曲反転機構に係止されている結束用の紐が下方に移動させられて当該折曲反転機構から外れる構造となっていることを特徴とする古紙の一時収納具。
【請求項２】
前記収納箱の４側壁の下部に形成された折曲反転機構が、鉛直方向下方に向けて突出した突起軸を備え、当該突起軸の先端と収納箱底部との間に結束用の紐の太さ以上の隙間が形成されていることを特徴とする請求項１記載の古紙の一時収納具。
【請求項３】
前記突起軸の側面が先端先細りとなるテーパー形状とされていることを特徴とする請求項２記載の古紙の一時収納具。
【請求項４】
前記収納箱の四側壁の上部に形成された折曲反転機構が、上部に結束用の紐が係止される切り欠き部からなることを特徴とする請求項１記載の古紙の一時収納具。
【発明の詳細な説明】
【技術分野】
【０００１】
本発明は、古新聞や古雑誌など（以下、古紙という。）の廃棄物を一時的に収納し古紙がある程度たまった際に結束用の紐により結束する作業を補助することができる古紙の一時収納具に関する。
【背景技術】
【０００２】
従来の古紙を一時的に収納する一時収納具としては、各種のものが提案されている。これらの一時収納具は、結束用の紐を古紙に絡め通す時期が古紙の堆積（蓄積）の前と後になるかによって、大きく分類される。
【０００３】
古紙の堆積前に結束用の紐を通す方式の一時収納具は、古紙の堆積がなされる収納箱はほとんどが下部に底板のある構造であり、収納箱の下部で紐を固定することなく十文字に床敷きし紐の両端を上方に仮固定する方式のもの（特許文献１参照）と、収納箱下部の側壁内外に複数の紐の固定機構を設けてこの固定機構に紐を固定した後、紐端部を上げて仮固定する方式（特許文献２又は３参照）のもの分類される。
【０００４】
特許文献２に示すものでは、有底筒状の収納箱の底板に設けた溝に結束用の紐を通して配置し、この溝の上部（上面）の一部から張り出して形成された突片部により結束用の紐が外れないように仮固定したものである。特許文献３に示すものでは、有底筒状の収納箱の底板の周縁部に形成された２箇所の切り欠き部に結束用の紐を引っかけて紐が外れないように仮固定したものである。特許文献４に示すものでは、底のない筒状の収納箱の下辺に形成された溝と上辺に形成された溝との間に結束用の紐を十文字状に仮固定したものである。
【０００５】
古紙の堆積前に結束用の紐を通す方式の一時収納具であって、紐を仮固定する方式のものでは、床敷きされた紐を固定しない不安定さから、結束時に紐の位置直しの手間がかかったり、複数本に切断された紐長の無駄が生じたりという不都合がある。
【０００６】
古紙の堆積前に結束用の紐を通す方式の一時収納具であって、固定機構に紐を固定した後に紐端部を上げて仮固定する方式のものでは、固定した紐を取り外す手間がかかるだけでなく紐を外すための専用の器具が必要となる場合がある。特に、固定機構が収納箱の内側の領域にある場合、固定機構から紐を外すために手（指）や専用の器具を挿入するための空間を設ける必要があり、この空間分だけ古紙の外形寸法よりもよりも一回り大きい収納箱が必要となる。古紙よりも一回り大きい収納箱では古紙の遊びが大きくなり、古紙を丁寧に投函しないと古紙の積層が乱雑になり、結束した際に結束状態が緩み易く、ハンドリング時に荷崩れが生じる場合があるという不都合がある。
【０００７】
これらの一時収納具では、収納箱から結束された古紙を分離する場合、結束された古紙を収納箱上端まで持ち上げて収納箱の外に搬出なければならないので、重い古紙を持ち上げるのが重労働であり、かつ、一時収納具の上方周辺の空間が少ないと無理な姿勢での作業となり作業者が腰を痛めたりすることもあった。また、底部に十文字の結び目のある紐の用意のほかに、紐端部を収納箱の内側に通して持ち上げる方法は、結束時に紐を外すために人手にて収納箱の持ち上げ作業が加わり、紐端部を収納箱の外側に通して持ち上げる方法は、結束前に収納箱を外すため、折角、積層された古紙が崩れることもあった。
【０００８】
古紙の一時収納具の内側に予め配置されて一時的に係止された結束用の紐が、古紙を投入する際に自動的に外れるようにできれば、従来のように結束作業に先だって結束用の紐と一時収納具との係合を解除する手間が必要ではなくなり非常に便利である。さらに、指や専用の器具を挿入するための余分な空間を設ける必要がなくなり、古紙を投入した際の積層状態をほぼ整列した状態にでき結束後の荷崩れが生じにくく便利である。
【０００９】
積層されて結束された古紙を持ち上げるのではなく一時収納具自体を上方に持ち上げるようにして古紙と分離できれば、重い古紙を持ち上げる重労働から解放され、上方に持ち上げる作業空間が狭い無理な姿勢の作業でも作業者が腰を痛めるような負荷にならないで好都合である。
【先行技術文献】
【特許文献】
【００１０】
【特許文献１】特開２００７−００８５６７号公報
【特許文献２】特開２００５−２１９８０７号公報
【特許文献３】特開２００２−１６６９０９号公報
【特許文献４】特開２００２−１６０７０８号公報
【発明の概要】
【発明が解決しようとする課題】
【００１１】
解決しようとする問題点は、古紙を結束する前に一時収納具に係合した結束用の紐を手作業で係合から外す必要があり結束作業を容易にかつ迅速に行うことができない点や、収納箱を古紙に対して必要以上大きくせざるを得ず古紙の積層状態が乱れて後々の結束状態が不備になる点や、結束された古紙を上方に持ち上げる作業は重労働であり作業者が腰を痛めるおそれもある点である。
【００１２】
本発明は、一時収納具に古紙を投入する際に結束用の紐の係合が自動的に外れる構造とし、これにより古紙を結束する際に結束用の紐の係合を外す操作が必要ではなくなり、結束作業を迅速にかつ容易に行うことができ、収納箱が必要以上に大きくなることがなく古紙の積層状態が悪化して結束状態が乱れることが防止できるようにすることを最も主要な特徴とする。
【００１３】
本発明は、収納箱を底なしとして堆積され後に結束された古紙に対して収納箱を上方に移動させて抜き取ることができる構造とし、古紙を収納箱から取り外す作業の省力化を図り、上方に持ち上げる作業空間が狭い場合でも作業者が腰を痛めるおそれがなくなるようにすることを主要な特徴とする。
【課題を解決するための手段】
【００１４】
本発明の請求項１記載の古紙の一時収納具は、上端および下端が解放され内側空間に古紙が平積み状態で収納される四つの側壁を有する筒状の収納箱と、当該収納箱の四つの壁部の内面に沿って前記古紙を結束するための紐を予め配置・仮止めするための配置機構とを備えた古紙の一時収納具において、前記配置機構が、収納箱の外側から内側又は内側から外側に折り曲げて反転する折曲反転機構を備え、当該折曲反転機構の一部を収納箱の四側壁の上部にそれぞれ設け、他の折曲反転機構を前記収納箱の四側壁の下部にそれぞれ形成された窓部に設け、前記収納箱の四側壁の下部に形成された折曲反転機構が、収納箱に古紙を投入して収納した際に古紙の自重などにより当該折曲反転機構に係止されている結束用の紐が下方に移動させられて当該折曲反転機構から外れる構造となっていることを特徴とする。
【００１５】
本発明の請求項２記載の古紙の一時収納具は、前記収納箱の四側壁の下部に形成された折曲反転機構が、鉛直方向下方に向けて突出した突起軸を備え、当該突起軸の先端と収納箱底部との間に結束用の紐の太さ以上の隙間が形成されていることを特徴とする。
【００１６】
本発明の請求項３記載の古紙の一時収納具は、前記突起軸の側面が先端先細りとなるテーパー形状とされていることを特徴とする。
【００１７】
本発明の請求項４記載の古紙の一時収納具は、前記収納箱の四側壁の上部に形成された折曲反転機構が、上部に結束用の紐が係止される切り欠き部からなることを特徴とする。
【発明の効果】
【００１８】
（１）本発明の請求項１記載の古紙の一時収納具は、収納箱に古紙を投入して収納した際に古紙の自重により当該折曲反転機構に係止されている結束用の紐が下方に移動させられて当該折曲反転機構（突起軸）から外れ、結束作業を行うに際して結束用の紐と収納箱との係合を解除する必要がなく、操作性を高めることができる。
また、自動で係合解除ができるので、手動で解除するための隙間を収納箱に設ける必要が無く、収納部が古紙に対して必要以上に大きくなることが抑制され、収納部に投入して積層した古紙の積層状態を整列させることができ、紐による結束状態を良好なものとすることができ荷崩れを防止することができる。
さらに、収納箱の下部に底部を形成していないので、収納箱を古紙に対して上方に移動させて抜き取ることができ、重い古紙に比べて軽く形成されている収納箱を上方に抜き取る作業は古紙を上方に搬出する作業に比べて軽作業となり、しかも、持ち上げ作業に十分なスペースがない場合でも作業者が腰を痛めることを防止できる。
（２）本発明の請求項２記載の古紙の一時収納具は、収納箱に古紙を投入して収納した際に古紙の自重により突起軸に係止されている結束用の紐が下方に移動させられて突起軸の先端と収納箱の底部との間に形成された隙間から外れるので、結束作業を行うに際して結束用の紐と収納箱との係合を解除する必要がない。
（３）本発明の請求項３記載の古紙の一時収納具は、突起軸の側面が先端先細りテーパー形状となっているので、収納箱に古紙を投入して収納すると結束用の紐はテーパー面に沿って容易に突起軸から外れる。
（４）本発明の請求項４記載の古紙の一時収納具は、収納箱の四側壁の上部に形成された切り欠き部などにより収納箱の四側壁の上部に係止され、収納箱の４側壁の下部付近の折曲反転機構と共働して結束用の紐を予め収納箱の４側壁に配置することができ、収納箱に古紙を投入して収納した際に古紙の自重により当該折曲反転機構に係止されている結束用の紐が下方に移動させられて折曲反転機構から外れ、結束作業を行うに際して結束用の紐と収納箱との係合を解除する必要がない。
【図面の簡単な説明】
【００１９】
【図１】本発明の一実施例に係る古紙の一時収納具を示す図である。
【図２】図１の古紙の一時収納具の一部分を示す拡大図である。
【図３】図１の古紙の一時収納具の一部分を示す拡大図である。
【図４】図１の古紙の一時収納具の変形例を示す図である。
【図５】図１の古紙の一時収納具の変形例を示す図である。
【図６】図１の古紙の一時収納具の使用方法を示す図である。
【図７】図６の古紙の一時収納具の使用方法の一部分を示す拡大図である。
【図８】図１の古紙の一時収納具の使用方法を示す図である。
【図９】本発明の他の実施例に係る古紙の一時収納具を示す図である。
【図１０】図９の古紙の一時収納具の一部分を示す図である。
【図１１】図９の古紙の一時収納具の使用方法を示す図である。
【図１２】図１１の古紙の一時収納具の使用方法の一部分を示す拡大図である。
【図１３】本発明の更に他の実施例に係る古紙の一時収納具を示す図である。
【図１４】図１３の古紙の一時収納具の一部分を示す拡大図である。
【図１５】図１３の古紙の一時収納具の一部分を示す拡大図である。
【発明を実施するための形態】
【００２０】
本発明は、古紙を結束する際に結束用の紐の係合を手動で外す操作がをなくして、結束作業を迅速にかつ容易に行い、収納箱が必要以上に大きくなって古紙の積層状態が悪化して結束状態が乱れることを防止する目的を、一時収納具に古紙を投入する際に結束用の紐の係合が自動的に外れる構造とすることにより解消した。
【００２１】
本発明は、古紙を収納箱から取り外す作業の省力化を図り、上方に持ち上げる作業空間が狭い無理な姿勢の作業でも作業者が腰を痛めるおそれをなくする目的を、収納箱を底なしにして堆積されて結束された古紙に対して収納箱を上方に移動させて抜き取ることができる構造とすることにより解消した。
【実施例１】
【００２２】
図１に示すように、本実施例の古紙の一時収納具１は、上端および下端が解放され内側空間に古紙が平積み状態で収納される四つの側壁を有する筒状の収納箱２と、収納箱２の四つの壁部の内面に沿って古紙を結束するための紐を予め配置・仮止めするための配置機構Ａ，Ｂ、Ｃとを備え概略構成される。なお、配置機構Ｃは、紐を収納箱２に沿って案内する案内機構として機能する。
【００２３】
収納箱１は、合成樹脂や材木や竹や金属などの材料で製造することができる。好ましくは、できるだけ軽量の材料や形状を採用することが一時収納具１の取り扱いの利便性を高める上で好ましい。本実施例では、収納箱２は板状の材料から形成されている。
【００２４】
収納箱２は上・下面が開放型でポイ捨てされた古紙が底部まで円滑に落とせるように、上平面が古紙の折りたたんだサイズよりも若干大きくして、下平面は古紙サイズよりわずかに大きくなるようにしぼられた緩やかな角錐体構造としてあり、収納箱の高さは荷造された新聞を人が運べる厚さ（重量）となるように適宜の高さが採用されている。なお、
収納箱の高さは荷造された新聞を人が運べる任意厚さ（重量）が選択できるように幾種類かの高さに設計された複数種類の高さを有するものを用意しても良い。
【００２５】
上部の平面矩形を構成する四辺の中心及び隅には、図１に示すように、上部の突起軸３ａ，３ｂ，３ｃ，３ｄ及び突起軸５ａ，５ｂ，５ｃ，５ｄが設けられている。下部を構成する４側壁それぞれの中心には窓部６ａ，６ｂ，６ｃ，６ｄが形成されている。この窓部６ａ，６ｂ，６ｃ，６ｄには鉛直方向下向きに下部の突起軸４ａ，４ｂ，４ｃ，４ｄが設けられている。図３に示すように、各々の突起軸４ａ，４ｂ，４ｃ，４ｄの先端は、収納箱の最下面との間に結束用の紐の太さｄ（直径）よりも大きな寸法δの隙間が形成されている。突起軸４ａ，４ｂ，４ｃ，４ｄの外形形状は、突起軸４ａ，４ｂ，４ｃ，４ｄで折り返されて反転された結束用の紐が、ポイ捨てされた古紙の堆積重み（または古紙上面を押す人の手）によって押し下げられた時、紐を鉛直方向下方に押し下げて寸法δの隙間を潜って突起軸４ａ，４ｂ，４ｃ，４ｄから容易に外れるように、径が長さ方向で等しい円柱形状をなしている。
【００２６】
前記突起軸３ａ，３ｂ，３ｃ，３ｄ及び、突起軸４ａ，４ｂ，４ｃ，４ｄ及び突起軸５ａ，５ｂ，５ｃ，５ｄは本発明の配置機構を構成する。突起軸３ａ，３ｂ，３ｃ，３ｄ及び突起軸４ａ，４ｂ，４ｃ，４ｄは本発明の折曲反転機構を構成する。
【００２７】
なお、図４に示すように、突起軸３ａ，３ｂ，３ｃ，３ｄ及び突起軸５ａ，５ｂ，５ｃ，５ｄを中間部の太さが絞られたいわゆる鼓型の形状とすることもでき、紐をしっかりと保持することができる。図５に示すように、突起軸４ａ，４ｂ，４ｃ，４ｄの側面が先端先細りとなるテーパー形状とすることもでき、スムーズに紐が外れる用にすることができる。
【００２８】
次に、本実施例の古紙の一時収納具１の使用方法について説明する。
【００２９】
図６は、古紙が投函される前に結束用の紐を予め収納箱の内側に配置した状態を示す。すなわち、紐Ｈの一端Ｈ１を突起軸３ａに仮固定して、そこから綾取りの要領で、突起軸４ａ，４ｃ，３ｃ，５ｃ，３ｂ，４ｂ，４ｄ，３ｄ，５ａに引っ掛けて張り巡らし、紐Ｈの他端Ｈ２と一端Ｈ１とを仮結びして紐Ｈを収納箱に配置し、収納箱２への古紙の投函前の準備を完了する。
【００３０】
図７に、突起軸４ａ，４ｂ，４ｃ，４ｄにおける紐Ｈの係止状態を示す。突起軸４ａ，４ｂ，４ｃ，４ｄと収納箱２の下端部との間に、紐Ｈの太さｄよりも大きな寸法δを有する隙間が形成されている。
【００３１】
図８は、収納箱２の内側空間に古紙が投函・積層されて堆積した状態であって、紐で古紙を結束した状態を示す。すなわち、古紙が収納箱２の上位付近に達した場合において、古紙の結束作業を完了させた状態を示す。以下に、図６〜図８を参照して、結束作業の手順を説明する。
【００３２】
まず、紐Ｈの端Ｈ１とＨ２との仮結びを解き、収納箱の下部設けられている突起軸４ａ，４ｂ，４ｃ，４ｄから紐Ｈが外れていることを確認する。構造上、古紙の自重で自動的に外れるようになっているが、万が一外れていない場合には、古紙を上から押圧するなどの方法によりひっかかりを解除する。
【００３３】
次いで、突起軸５ｃの部分で外回しされている紐Ｈをはずして紐Ｈの当該部分Ｈ３が古紙の上面中央に来るように引き寄せ、紐Ｈの一端Ｈ１又はＨ２をＨ３（図６参照）にさし通し、再度紐の一端Ｈ１と他端Ｈ２を本結びする。これにょり、古紙は十文字に結束された状態となり、収納箱２と古紙とは独立した状態になる。この状態で収納箱２自身を上方に引き上げると、収納箱２には底がないので結束された古紙と収納箱とは簡単に分離させることができる。
【実施例２】
【００３４】
図９に、本発明の他の実施例に係る古紙の一時収納具１１を示す。図１の古紙の一時収納具１と同様な構成要素には同一符号を付して説明を省略する。
【００３５】
収納箱１２の４側壁の上部に形成された突起軸３ａ，３ｂ，３ｃ，３ｄの代わりに、収納箱１２の上部に結束用の紐が係止させられる切り欠き部１３ａ，１３ｂ，１３ｃ，１３ｄが形成されている。図１０に示すように、収納箱１２の上縁には外側に張り出した張り出し部２ａが全周縁に亘って形成されている。
【００３６】
次に、本実施例に係る古紙の一時収納具１１の使用方法ついて説明する。
【００３７】
図１１は古紙が投函される前に結束用の紐を予め収納箱の内側に配置した状態を示す。すなわち、紐の一端Ｈ１を仮固定して切り欠き部１３ａを通して下部の突起軸４ａ，４ｃ、切り欠き部１３ｃ、張り出し部１２ａ、切り欠き部１３ｂ、下部の突起軸４ｂ，４ｄ、切り欠き部１３ｄおよび張り出し部１２ａまでに紐Ｈを張り巡らし他端Ｈ２と一端Ｈ１を仮結びすることで、収納箱１２に紐Ｈを配置して、投函準備を完了する。図１２に紐Ｈと張り出し部１２ａとの係合状態を示す。
【００３８】
古紙を結束する場合は、本実施例については図示しないが、上述した実施例において図８に示した場合と同様に、紐ＨのＨ３部分（図１１参照）を張り出し部１２ａから外して古紙の中心部に持ってきて、紐Ｈの一端Ｈ１又は他端Ｈ２を通して紐Ｈを本結びする。
【実施例３】
【００３９】
図１３に本発明の更に他の実施例に係る古紙の一時収納具２１を示す。このものは、前述の実施例において板状材料で形成された収納箱の代わりに、棒状の材料をカゴ状に整形した収納箱２２を設けたものである。図１の古紙の一時収納具と同様な構成要素には同一符号を付して説明を省略する。
【００４０】
図１４に突起軸３ａ，３ｂ，３ｃ，３ｄ及び突起軸５ａ，５ｂ，５ｃ，５ｄの付近の図を示す。これらの突起軸３ａ，３ｂ，３ｃ，３ｄ，５ａ，５ｂ，５ｃ，５ｄの先端には、紐の抜け止めをなす大径の頭部Ｔが形成されている。図１５に突起軸４ａ，４ｂ，４ｃ，４ｄの付近の図を示す。突起軸４ａ，４ｂ，４ｃ，４ｄの先端と収納箱２２の下部との間に紐Ｈの通る隙間が形成されている。
【符号の説明】
【００４１】
１，１１，２１    古紙の一時収納具
２，１２，２２    収納箱
３ａ，３ｂ，３ｃ，３ｄ    突起軸（収納箱上部に設けた折曲反転機構）
４ａ，４ｂ，４ｃ，４ｄ    突起軸（収納箱下部に設けた折曲反転機構）
５ａ，５ｂ，５ｃ，５ｄ    突起軸
６ａ，６ｂ，６ｃ，６ｄ    窓部
１２ａ    張り出し部
１３ａ、１３ｂ、１３ｃ、１３ｄ    切り欠き部（収納箱上部に設けた折曲反転機構）
Ａ，Ｂ，Ｃ    配置機構
Ｈ    結束用の紐
Ｈ１    紐の一端
Ｈ２    紐の他端
Ｈ３    紐の引き寄せ部分
【図１】
2010247846.tif 000003
【図２】
2010247846.tif 000004
【図３】
2010247846.tif 000005
【図４】
2010247846.tif 000006
【図５】
2010247846.tif 000007
【図６】
2010247846.tif 000008
【図７】
2010247846.tif 000009
【図８】
2010247846.tif 000010
【図９】
2010247846.tif 000011
【図１０】
2010247846.tif 000012
【図１１】
2010247846.tif 000013
【図１２】
2010247846.tif 000014
【図１３】
2010247846.tif 000015
【図１４】
2010247846.tif 000016
【図１５】
2010247846.tif 000017